Podtech/llm-jp-corpus-v4-ja_patent huggingface dataset:
【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】表層に熱可塑性樹脂粒子を含むインク受容層を有する記録媒体に対してインクを吐出して記録を行う記録ヘッドと、記録媒体を加熱加圧して該記録媒体のインク受容層を透明化する加熱加圧手段と、該加熱加圧手段の温度を所定の温度範囲に保持する温度制御手段と、前記記録ヘッドにより記録の行われた記録媒体を前記加熱加圧手段まで搬送する記録媒体搬送手段とを有するインクジェット記録装置において、前記加熱加圧手段が、記録媒体の幅方向に分割された複数の発熱体を含んで構成され、前記温度制御手段は、該複数の発熱体のそれぞれを独立に制御可能としたことを特徴とするインクジェット記録装置。
【請求項２】前記複数の発熱体は、その長さ方向が記録媒体の幅方向に沿い且つ隣接する発熱体の端部同士が互いに重なるように並設されていることを特徴とする請求項１記載のインクジェット記録装置。
【請求項３】前記温度制御手段は、加熱加圧する記録媒体の幅に応じて、前記複数の発熱体の制御を変更することを特徴とする請求項１又は２記載のインクジェット記録装置。
【請求項４】表層に熱可塑性樹脂粒子を含むインク受容層を有する記録媒体に対してインクを吐出して記録を行う記録ヘッドと、記録媒体を加熱加圧して該記録媒体のインク受容層を透明化する加熱加圧手段と、該加熱加圧手段の温度を所定の温度範囲に保持する温度制御手段と、前記記録ヘッドにより記録の行われた記録媒体を前記加熱加圧手段まで搬送する記録媒体搬送手段とを有するインクジェット記録装置において、前記記録媒体の幅が相対的に狭いときには該記録媒体の搬送方向の単位長さ当りの記録時間を相対的に短くすると共に、前記加熱加圧手段における加熱加圧時間を相対的に短くし且つ前記温度制御手段による前記加熱加圧手段の保持温度を相対的に高くすることを特徴とするインクジェット記録装置。
【請求項５】前記加熱加圧手段は、前記記録ヘッドにより記録の行われた複数の記録媒体を並列に並べて同時に処理可能な幅を有し、前記温度制御手段は、同時に加熱加圧する記録媒体の数、各記録媒体の幅及び各記録媒体が接触する加熱加圧手段の幅方向の位置に応じて、前記複数の発熱体の制御を変更することを特徴とする請求項１又は２記載のインクジェット記録装置。
【請求項６】表層に熱可塑性樹脂粒子を含むインク受容層を有する記録媒体に対してインクを吐出して記録を行う記録ヘッドと、記録媒体を加熱加圧して該記録媒体のインク受容層を透明化する加熱加圧手段と、該加熱加圧手段の温度を所定の温度範囲に保持する温度制御手段と、前記記録ヘッドにより記録の行われた記録媒体を前記加熱加圧手段まで搬送する記録媒体搬送手段とを有するインクジェット記録装置において、前記加熱加圧手段は、前記記録ヘッドにより記録の行われた複数の記録媒体を並列に並べて同時に処理可能な幅を有し、同時に加熱加圧する記録媒体の列数が相対的に少ないときは前記記録媒体の搬送方向の単位長さ当りの記録時間を相対的に短くすると共に、前記加熱加圧手段における加熱加圧時間を相対的に短くし且つ前記温度制御手段による前記加熱加圧手段の保持温度を相対的に高くすることを特徴とするインクジェット記録装置。
【請求項７】前記加熱加圧手段は、前記記録ヘッドにより記録の行われた複数の記録媒体を並列に並べて同時に処理可能な幅を有し、種類の異なる複数の記録媒体を同時に処理する際には、記録媒体の加熱温度が各々の記録媒体の種類に応じた最適値となるよう、前記温度制御手段は前記複数の発熱体の制御を行うことを特徴とする請求項１又は２記載のインクジェット記録装置。
【手続補正２】
【補正対象書類名】明細書
【補正対象項目名】００１４
【補正方法】変更
【補正の内容】
【００１４】
請求項４記載の発明は、表層に熱可塑性樹脂粒子を含むインク受容層を有する記録媒体に対してインクを吐出して記録を行う記録ヘッドと、記録媒体を加熱加圧して該記録媒体のインク受容層を透明化する加熱加圧手段と、該加熱加圧手段の温度を所定の温度範囲に保持する温度制御手段と、前記記録ヘッドにより記録の行われた記録媒体を前記加熱加圧手段まで搬送する記録媒体搬送手段とを有するインクジェット記録装置において、前記記録媒体の幅が相対的に狭いときには該記録媒体の搬送方向の単位長さ当りの記録時間を相対的に短くすると共に、前記加熱加圧手段における加熱加圧時間を相対的に短くし且つ前記温度制御手段による前記加熱加圧手段の保持温度を相対的に高くすることを特徴とするインクジェット記録装置である。
【手続補正３】
【補正対象書類名】明細書
【補正対象項目名】００１８
【補正方法】変更
【補正の内容】
【００１８】
請求項６記載の発明は、表層に熱可塑性樹脂粒子を含むインク受容層を有する記録媒体に対してインクを吐出して記録を行う記録ヘッドと、記録媒体を加熱加圧して該記録媒体のインク受容層を透明化する加熱加圧手段と、該加熱加圧手段の温度を所定の温度範囲に保持する温度制御手段と、前記記録ヘッドにより記録の行われた記録媒体を前記加熱加圧手段まで搬送する記録媒体搬送手段とを有するインクジェット記録装置において、前記加熱加圧手段は、前記記録ヘッドにより記録の行われた複数の記録媒体を並列に並べて同時に処理可能な幅を有し、同時に加熱加圧する記録媒体の列数が相対的に少ないときは前記記録媒体の搬送方向の単位長さ当りの記録時間を相対的に短くすると共に、前記加熱加圧手段における加熱加圧時間を相対的に短くし且つ前記温度制御手段による前記加熱加圧手段の保持温度を相対的に高くすることを特徴とするインクジェット記録装置である。
【手続補正書】
【提出日】平成16年7月12日(2004.7.12)
【手続補正１】
【補正対象書類名】明細書
【補正対象項目名】００７４
【補正方法】変更
【補正の内容】
【００７４】
評価：表１より明らかなように、本発明のインクジェット記録シートである実施例１〜１９は絵画風の良好な風合いを有し、インクジェット適性である色濃度と吸収性解像度において優れている。坪量が１８０ｇ／ｍ2に満たないと風合いが劣り（比較例２、４）、非木材パルプが入ってない（比較例１、３）と、やはり風合いが劣る。さらに、インク受理層中に気相法シリカを含有させる（実施例７〜１７，１９）ことで、よりインク受理層の透明性が向上するため、印字濃度がさらに向上する。また、密度が０．６ｇ／ｃｍ3を超えるとやや風合いが低下している。インク受理層の塗工量は少な過ぎる（実施例１３）と印字濃度と吸収性解像度が低下し、多すぎる（実施例１７）と風合いが劣ってくる。
【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
原紙の両面がポリオレフィン樹脂で被覆された支持体上に無機微粒子と親水性バインダーを含有するインク受容層が塗設されてなるインクジェット用記録材料において、原紙の厚さ（Ａ）に対するインク受容層が塗設される側のポリオレフィン樹脂（表樹脂）の厚さ（Ｂ）と反対側のポリオレフィン樹脂（裏樹脂）の厚さ（Ｃ）の和の比｛（Ｂ＋Ｃ）／Ａ｝が０．１５〜０．４５、原紙の密度が１．０５ｇ／ｃｍ3以下で厚さＡが５０μｍ以上、及び表樹脂の厚さＢが５〜２５μｍであることを特徴とするインクジェット用記録材料。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】
センタサーバと車載用オーディオシステムとが通信網を介して接続され、前記センタサーバは、車種及び車載用オーディオシステムの機種ごとのオーディオ機器調整用データを記憶しているデータベースを有するシステムにおける車載用オーディオサービス方法であって、
前記車載用オーディオシステムが、前記センタサーバに対して、車種及び車載用オーディオシステムの機種に関するデータを送信するステップと、
前記センタサーバによって、前記データベースから抽出された受信したデータに対応したオーディオ機器調整用データを前記車載用オーディオシステムに対して送信するステップと、
前記車載用オーディオシステムが、受信したオーディオ機器調整用データに基づいてオーディオ機器の音響特性を調整するステップと、
を具備することを特徴とする車載用オーディオサービス方法。
【請求項２】
前記調整用データは、車両室内の周波数特性を補正するデータである請求項１に記載の車載用オーディオサービス方法。
【請求項３】
前記調整用データは、音場を補正するデータである請求項１に記載の車載用オーディオサービス方法。
【請求項４】
センタサーバと通信網を介して接続するための通信手段と、
前記センタサーバに対して、車種及び車載用オーディオシステムの機種に関するデータを送信する送信手段と、
前記センタサーバから、前記送信したデータに基づいて返信されてきたオーディオ機器調整用データに基づいてオーディオ機器の音響特性を調整する手段と、
を具備することを特徴とする車載用オーディオシステム。
【請求項５】
前記調整用データは、車両室内の周波数特性を補正するデータである請求項４に記載の車載用オーディオシステム。
【請求項６】
前記調整用データは、音場を補正するデータである請求項４に記載の車載用オーディオシステム。
【請求項７】
車載用オーディオシステムと通信網を介して接続するための通信手段と、
車種及び車載用オーディオシステムの機種ごとのオーディオ機器調整用データを記憶しているデータベースと、
前記車載用オーディオシステムから受信した、車種及び車載用オーディオシステムの機種に関するデータに対応したオーディオ機器調整用データを前記データベースから抽出して、前記車載用オーディオシステムに対して送信する手段と、
を具備することを特徴とするサービスセンタ。
【請求項８】
前記調整用データは、車両室内の周波数特性を補正するデータである請求項７に記載のサービスセンタ。
【請求項９】
前記調整用データは、音場を補正するデータである請求項７に記載のサービスセンタ。
【請求項１０】
センタサーバと車載用オーディオシステムとが通信網を介して接続され、前記センタサーバは、車両室内の周波数特性ごとのオーディオ機器調整用データを記憶しているデータベースを有するシステムにおける車載用オーディオサービス方法であって、
前記車載用オーディオシステムが、車両室内の周波数特性に関するデータを取得し、前記センタサーバに対して、取得した周波数特性に関するデータを送信するステップと、
前記センタサーバが、受信した周波数特性に関するデータに対応したオーディオ機器調整用データを前記データベースから抽出して、前記車載用オーディオシステムに対して送信するステップと、
前記車載用オーディオシステムが、受信したオーディオ機器調整用データに基づいてオーディオ機器の音響特性を調整するステップと、
を具備することを特徴とする車載用オーディオサービス方法。
【請求項１１】
センタサーバと通信網を介して接続するための通信手段と、
車両室内の周波数特性に関するデータを取得する取得手段と、
前記センタサーバに対して、取得した周波数特性に関するデータを送信する送信手段と、
前記センタサーバから、前記送信したデータに基づいて返信されてきたオーディオ機器調整用データに基づいてオーディオ機器の音響特性を調整する手段と、
を具備することを特徴とする車載用オーディオシステム。
【請求項１２】
車載用オーディオシステムと通信網を介して接続するための通信手段と、
複数の周波数特性に関するオーディオ機器調整用データを記憶しているデータベースと、
前記車載用オーディオシステムから受信した、車両室内の周波数特性に関するデータに対応したオーディオ機器調整用データを前記データベースから抽出して、前記車載用オーディオシステムに対して送信する手段と、
を具備することを特徴とするサービスセンタ。
【請求項１３】
センタサーバと、このセンタサーバと通信網を介して接続される車載用オーディオシステムとから構成され、
前記センタサーバは、前記車載用オーディオシステムに対して、オーディオ機器の取付けデータを送信することを特徴とする車載用オーディオサービス方法。
【請求項１４】
前記取付けデータは、各メーカーのオーディオ機器の機種ごとの取付けデータと、各メーカーの車両ごとの取付けデータを含む請求項１３に記載の車載用オーディオサービス方法。
【請求項１５】
前記取付けデータは、接続可能機種データである請求項１３に記載の車載用オーディオサービス方法。
【請求項１６】
前記取付けデータは、取付け方法データである請求項１３に記載の車載用オーディオサービス方法。
【請求項１７】
前記取付けデータは、取付け店データである請求項１３に記載の車載用オーディオサービス方法。
【請求項１８】
前記取付けデータは、取付け工賃を含む請求項１３に記載の車載用オーディオサービス方法。
【請求項１９】
前記センタサーバは、前記発注された取付け部品の取付け担当者の派遣を要請する処理を行う請求項１３に記載の車載用オーディオサービス方法。
【請求項２０】
前記車載用オーディオシステムにおいて、取付け部品の自動発注処理を行う請求項１３に記載の車載用オーディオサービス方法。
【請求項２１】
前記センタサーバは、前記発注された取付け部品の逆オークションを行う請求項２０に記載の車載用オーディオサービス方法。
【請求項２２】
前記発注された取付け部品は、自動発送される請求項２０に記載の車載用オーディオサービス方法。
【請求項２３】
前記オーディオシステムの代わりに、パソコンを使用することを特徴とする請求項１３に記載の車載用オーディオサービス方法。
【手続補正書】
【提出日】平成16年4月6日(2004.4.6)
【手続補正１】
【補正対象書類名】明細書
【補正対象項目名】００２８
【補正方法】変更
【補正の内容】
【００２８】
保護層は、成膜性に優れた有機高分子として、例えば部分（完全）ケン化ポリビニルアルコール、カルボキシ変性ポリビニルアルコール、アセトアセチル変性ポリビニルアルコール、ケイ素変性ポリビニルアルコール、ゼラチン、カゼイン等の水溶液、および必要により感熱記録層用塗液中に添加し得る助剤とを混合攪拌して調製された保護層用塗液を感熱記録層上に乾燥後の塗布量が１〜６ｇ／ｍ２程度となるように塗布乾燥して形成される。


【手続補正２】
【補正対象書類名】明細書
【補正対象項目名】００３２
【補正方法】変更
【補正の内容】
【００３２】
実施例１
黒色発色性ロイコ染料として３−ジ（ｎ−アミル）アミノ−６−メチル−７−アニリノフルオラン１０部を１００℃に加熱したジシクロヘキシルメタン−４，４’−ジイソシアネート４０部に溶解し、この溶液を２５℃に冷却後、同じ温度の８％ポリビニルアルコール（商品名：ゴーセノールＧＭ−１４Ｌ、日本合成化学工業社製）水溶液２００部に徐々に添加し、ＴＫホモミキサー（モデルＨＶ−Ｍ、特殊機化工業社製）を用い、４０００ｒｐｍの攪拌によって乳化分散した後、この乳化分散液に水８０部を加えて均一化した。この乳化分散液を８０℃に昇温し、１０時間の硬化反応を行わせ、室温にて固形分濃度２０％となるように水を添加し、平均粒子径１．６μｍの黒色発色性ロイコ染料含有複合粒子分散液を調製した。
【手続補正書】
【提出日】平成17年7月1日(2005.7.1)
【手続補正１】
【補正対象書類名】明細書
【補正対象項目名】特許請求の範囲
【補正方法】変更
【補正の内容】
【特許請求の範囲】
【請求項１】
洗浄剤又はつやだし剤が含浸されている液保持シートが、延伸方向に関して機械的強度が高く、延伸方向と直交する方向に機械的強度が低い延伸フィルム層を含む液不透過性シートからなる袋状の収納体に密封されており、且つ該収納体における前記延伸フィルム層を含む前記液不透過性シート側に配され且つ繊維材料からなる液徐放シートを備えた清掃用ウエットシートであって、
前記延伸フィルム層を含む前記液不透過性シートには、該延伸フィルム層の延伸方向への引き裂きにより開口を形成するための開封開始用の摘み部が設けられている清掃用ウエットシート。
【請求項２】
前記摘み部が、前記延伸フィルム層の一部から形成されている請求項１記載の清掃用ウエットシート。
【請求項３】
前記延伸フィルム層を含む前記液不透過性シートが、該延伸フィルム層の延伸方向に延びる所定幅の開封誘導領域を有している請求項１又は２記載の清掃用ウエットシート。
【請求項４】
前記液徐放シートが、前記液保持シートよりも通気度が低い材料から構成されている請求項１〜３の何れかに記載の清掃用ウエットシート。
【請求項５】
前記液徐放シートの外面に更に繊維材料からなる表面シートを配した請求項１〜４の何れかに記載の清掃用ウエットシート。
【請求項６】
前記液徐放シート及び／又は前記表面シートが凹凸付形されている請求項５記載の清掃用ウエットシート。
【手続補正２】
【補正対象書類名】明細書
【補正対象項目名】０００６
【補正方法】変更
【補正の内容】
【０００６】
【課題を解決するための手段】
本発明は、洗浄剤又はつやだし剤が含浸されている液保持シートが、延伸方向に関して機械的強度が高く、延伸方向と直交する方向に機械的強度が低い延伸フィルム層を含む液不透過性シートからなる袋状の収納体に密封されており、且つ該収納体における前記延伸フィルム層を含む前記液不透過性シート側に配され且つ繊維材料からなる液徐放シートを備えた清掃用ウエットシートであって、
前記延伸フィルム層を含む前記液不透過性シートには、該延伸フィルム層の延伸方向への引き裂きにより開口を形成するための開封開始用の摘み部が設けられている清掃用ウエットシートを提供することにより前記目的を達成したものである。
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  遊技盤に対して相対的に開閉可能に設けられ、透明な窓板を有する窓枠と、
前記窓枠に設けられ、密閉された音響室の一部を構成する振動板と、
前記音響室内の空気を通して前記振動板に音圧を加えることに基づいて前記振動板から音波を放出するドライバとを備え、
前記振動板は、前記窓枠に別体で設けられていることを特徴とする遊技機。
【手続補正２】
【補正対象書類名】明細書
【補正対象項目名】０００４
【補正方法】変更
【補正の内容】
【０００４】
その他発明１は、窓枠の開閉に対して相対的に静止する静止側にドライバを設けるところに特徴を有する。
その他発明１によれば、ドライバの制御用の配線が窓枠の開閉に伴って移動することがなくなる。この窓枠の開閉は遊技盤の障害釘に引掛ったパチンコ球を除去する目的で頻繁に行われるものであり、窓枠の開閉に伴ってドライバの配線に応力が繰返し作用することがなくなるので、ドライバの断線が防止される。しかも、ドライバを窓枠の後面側に固定し、窓枠の閉鎖状態で窓枠および遊技盤間の幅狭な隙間内に収納する必要がなくなる。このため、特にドライバの大きさに対する制約が緩和されるので、大形のドライバを用いて大音量で音を放出できる。
【手続補正３】
【補正対象書類名】明細書
【補正対象項目名】０００５
【補正方法】変更
【補正の内容】
【０００５】
その他発明２は、窓枠の開放および閉鎖に応じて音響室を開放および密閉するシール部材を設けたところに特徴を有する。
その他発明２によれば、窓枠を開放して障害釘に引掛かったパチンコ球を除去する場合に音響室が開放され、音の放出が停止する。この窓枠の開放時には振動板が作業者の耳に近付くが、作業者の耳元で音が放出されることがなくなるので、作業者がパチンコ球の除去作業を行い易くなる。
【手続補正４】
【補正対象書類名】明細書
【補正対象項目名】０００６
【補正方法】変更
【補正の内容】
【０００６】
その他発明３は、枠鍵による窓枠のロック力でシール部材を弾性変形させることに基づいて音響室を密閉状態に保持するところに特徴を有する。
その他発明３によれば、遊技者が窓枠を殴打したときの振動でシール部材がずれ動くことが抑えられるので、音響室の密閉度が殴打時の振動で緩み、音の放出が瞬間的に停止してしまうことが防止される。
【手続補正５】
【補正対象書類名】明細書
【補正対象項目名】０００７
【補正方法】変更
【補正の内容】
【０００７】
その他発明４は、振動板を発光体によって電飾される電飾部材として機能させるところに特徴を有する。
その他発明４によれば、振動板が発光体により電飾される電飾部材として機能するので、窓枠に電飾部材とは別個に専用の振動板を装着する場合に比べてスペース的な余裕が大きくなる。このため、振動板として大形の電飾部材を窓枠に装着することができるので、豊かな光量および豊かな音量で演出を行うことが可能になり、電飾的演出効果および音的演出効果の双方が高まる。
【手続補正６】
【補正対象書類名】明細書
【補正対象項目名】０００８
【補正方法】変更
【補正の内容】
【０００８】
その他発明５は、発光体が発光することに基づいて電飾される電飾部と不透明な化粧部とを有する化粧板から振動板を構成するところに特徴を有する。
その他発明５によれば、振動板として電飾部および化粧部を有する化粧板を用いているので、振動板を設けた影響で意匠性が損なわれることが防止される。このため、振動板として窓枠の全体に対応する大形のものを使用できるので、大音量で音を放出することが可能になる。
【手続補正７】
【補正対象書類名】明細書
【補正対象項目名】０００９
【補正方法】変更
【補正の内容】
【０００９】
【発明の実施の形態】
本発明の実施例１〜５を説明する。これら実施例１〜５の中には特許請求の範囲に記載された発明に加えて下記（１）〜（５）の発明が記載されている。
（１）ドライバは、窓枠の開閉に対して相対的に静止する静止側に設けられていることを特徴とする遊技機。
（２）窓枠側および静止側の少なくとも一方には、窓枠の開放および閉鎖に応じて音響室を開放および密閉するシール部材が設けられていることを特徴とする遊技機。
（３）窓枠を閉鎖状態にロックする枠鍵を備え、
シール部材は、枠鍵のロック力で弾性変形した状態に保持されることに基づいて音響室を密閉する弾性部材から構成されていることを特徴とする遊技機。
（４）      振動板は、発光体が発光することに基づいて電飾される電飾部材から構成されていることを特徴とする遊技機。
（５）      振動板は、発光体が発光することに基づいて電飾される電飾部と不透明な化粧部とを有する化粧板から構成されていることを特徴とする遊技機。
以下、本発明の第１実施例を図１〜図９に基づいて説明する。パチンコホールの台島には、図７に示すように、外枠１が設置されている。この外枠１は前後面が開口する四角筒状をなすものであり、外枠１の前面には、図６の（ａ）および（ｂ）に示すように、前面扉２が左側辺部の垂直な軸（図示せず）を中心に回動可能に装着されている。この前面扉２は外枠１の前面開口部を開閉する矩形枠状をなすものであり、前面扉２の下端部には横長な長方形状の下皿板３が固定され、下皿板３の前面には上面が開口する容器状の下皿４が固定されている。
【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】  図柄を可変表示する図柄表示装置を備え、その図柄表示装置の有効ライン上に最終停止表示される図柄の組合せが当り図柄である場合に当り遊技状態を発生させる遊技機において、
前記図柄の可変表示が一旦停止して有効ライン上に当り図柄が成立せず、かつ有効ラインと並行する仮想ライン上に当り図柄が成立している場合に、同一遊技回において再度可変表示を実行して有効ライン上に当り図柄を最終停止表示させる表示制御手段を備えたことを特徴とする遊技機。
【請求項２】  図柄を可変表示する図柄表示装置を備え、その図柄表示装置の有効ライン上に最終停止表示される図柄の組合せが当り図柄である場合に当り遊技状態を発生させる遊技機において、
前記図柄の可変表示が一旦停止して有効ライン上に当り図柄が成立せず、かつ図柄表示装置に表示される図柄を組み合わせると当り図柄が成立し得る場合に、同一遊技回において再度可変表示を実行して有効ライン上に当り図柄を最終停止表示させる表示制御手段を備えたことを特徴とする遊技機。
【請求項３】  前記表示制御手段は、仮想ライン上に一旦停止した当り図柄と同一図柄を有効ライン上に最終停止表示させるものであることを特徴とする請求項１記載の遊技機。
【請求項４】  前記表示制御手段は、有効ライン以外の図柄表示装置に表示される当り図柄を構成し得る図柄の組合せと同一の図柄を有効ライン上に最終停止表示させるものであることを特徴とする請求項２記載の遊技機。
【請求項５】  前記一旦停止して有効ライン以外で成立しまたは成立し得る当り図柄は、前記図柄表示装置中にその全体が表示されていることを特徴とする請求項１ないし請求項４のいずれかに記載の遊技機。
【請求項６】  前記図柄は複数の部品図柄を組み合わせて一つの図柄を構成したものであり、前記一旦停止して有効ライン以外で成立しまたは成立し得る当り図柄のうち特定の部品図柄は、前記図柄表示装置中にその全体が表示されていることを特徴とする請求項１ないし請求項４のいずれかに記載の遊技機。
【請求項７】  図柄を可変表示する図柄表示装置を備え、その図柄表示装置の有効ライン上に最終停止表示される図柄の組合せが当り図柄を表示した場合に当り遊技状態を発生させる遊技機において、
前記図柄は複数の部品図柄を組み合わせて一つの図柄を構成したものであり、
前記図柄の可変表示が一旦停止して有効ライン上に当り図柄が成立せず、かつ前記図柄表示装置における表示範囲内において有効ラインと並行する仮想ライン上に当り図柄を構成する同一種の部品図柄の組合せが成立している場合に、同一遊技回において再度可変表示を実行して有効ライン上に当り図柄を最終停止表示させる表示制御手段を備えたことを特徴とする遊技機。
【請求項８】  前記表示制御手段は、仮想ライン上に一旦停止した部品図柄に対応する当り図柄と同一図柄を有効ライン上に最終停止表示させるものであることを特徴とする請求項７記載の遊技機。
【請求項９】  前記再可変表示を行う旨あるいはその可能性がある旨を教示する教示手段を備えたことを特徴とする請求項１ないし請求項８のいずれかに記載の遊技機。
【請求項１０】  前記教示手段は、前記図柄が一旦停止後再可変表示する前に当該再可変表示を行う旨あるいはその可能性がある旨を教示することを特徴とする請求項９記載の遊技機。
【請求項１１】  前記再可変表示は、内部抽選によって当り表示を行う場合にのみ所定確率で実行されるようにしたことを特徴とする請求項１ないし請求項１０のいずれかに記載の遊技機。
【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】  カード状の記録媒体を装着可能なゲーム機であって、
ゲーム開始時に、前記カード状の記録媒体の記録領域に記録されたゲームの難易度情報を読み出すデータ入出力装置と、
前記読み出したゲームの難易度情報に基づいてゲームの進行を制御するゲーム処理手段と、
前記ゲーム処理手段によるゲームの結果が所定の条件を満たす場合に、前記読み出したゲームの難易度情報が最大値であるか否か判断し、該難易度情報が最大値である場合には前記読み出した難易度情報を更新せず、該難易度情報が最大値でない場合に前記読み出した難易度情報の更新処理を実行する更新手段と、
更新後の難易度情報を前記カード状の記録媒体の印刷領域に印刷する印刷手段と、
を有し、
前記データ入出力装置は、前記更新後の難易度情報を前記カード状の記録媒体の記録領域に記録し、
前記印刷手段は、前記更新後の難易度情報に基づいて該更新後の難易度情報の印刷位置を示す位置情報を算出し、該位置情報に基づいて前記更新後の難易度情報を更新前の難易度情報が印刷された位置と異なる位置に印刷する、
ゲーム機。
【請求項２】  カード状の記録媒体を装着可能なゲーム機であって、
ゲーム開始時に、前記カード状の記録媒体の記録領域に記録されたゲームの難易度情報を読み出すデータ入出力装置と、
前記読み出したゲームの難易度情報に基づいてゲームの進行を制御するゲーム処理手段と、
前記ゲーム処理手段によるゲームの結果が所定の条件を満たす場合に、前記読み出したゲームの難易度情報が最大値であるか否か判断し、該難易度情報が最大値である場合には前記読み出した難易度情報を更新せず、該難易度情報が最大値でない場合に前記読み出した難易度情報の更新処理を実行する更新手段と、
更新後の難易度情報を前記カード状の記録媒体の印刷領域に印刷する印刷手段と、
を有し、
前記データ入出力装置は、前記更新後の難易度情報を前記カード状の記録媒体の記録領域に記録し、
前記印刷手段は、前記更新前の難易度情報が前記カード状の記録媒体の前記印刷領域に印刷されている場合には、最後に印刷された難易度情報に追加して新たな難易度情報が印刷される印刷位置を示す位置情報を算出し、該位置情報に基づいて前記更新後のゲームの難易度情報を更新前のゲームの難易度情報が印刷された位置と異なる位置に印刷する、
ゲーム機。
【請求項３】  印刷装置を備えたカード状の記録媒体を装着可能なゲーム機に、
ゲーム開始時に、前記カード状の記録媒体の記録領域に記録されたゲームの難易度情報を読み出すステップと、
前記読み出したゲームの難易度情報に基づいてゲームの進行を制御するステップと、
前記ゲームの進行の結果が所定の条件を満たすか否か判断するステップと、
前記ゲームの進行の結果が所定の条件を満たす場合に、前記読み出したゲームの難易度情報が最大値であるか否か判断し、該難易度情報が最大値である場合には前記読み出した難易度情報を更新せず、該難易度情報が最大値でない場合に前記読み出した難易度情報の更新処理を実行するステップと、
更新後の難易度情報を前記カード状の記録媒体の記録領域に記録するステップと、
前記更新後の難易度情報に基づいて該更新後の難易度情報の印刷位置を示す位置情報を算出するステップと、
前記印刷装置に対して、前記更新後の難易度情報を前記位置情報に基づいて前記カード状の記録媒体の印刷領域に印刷する印刷要求を送出するステップと、
を実行させるためのプログラム。
【請求項４】  印刷装置を備えたカード状の記録媒体を装着可能なゲーム機に、
ゲーム開始時に、前記カード状の記録媒体の記録領域に記録されたゲームの難易度情報を読み出すステップと、
前記読み出したゲームの難易度情報に基づいてゲームの進行を制御するステップと、
前記ゲームの進行の結果が所定の条件を満たすか否か判断するステップと、
前記ゲームの進行の結果が所定の条件を満たす場合に、前記読み出したゲームの難易度情報が最大値であるか否か判断し、該難易度情報が最大値である場合には前記読み出した難易度情報を更新せず、該難易度情報が最大値でない場合に前記読み出した難易度情報の更新処理を実行するステップと、
更新後の難易度情報を前記カード状の記録媒体の記録領域に記録するステップと、
前記更新前の難易度情報に追加して前記更新後の難易度情報が印刷される印刷位置を示す位置情報を算出するステップと、
前記印刷装置に対して、前記更新後の難易度情報を前記位置情報に基づいて前記カード状の記録媒体の印刷領域に印刷する印刷要求を送出するステップと、
を実行させるためのプログラム。
【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】  遊技動作を全体的に制御する主制御ＣＰＵと遊技動作を行う作動部を該主制御ＣＰＵからの制御信号に基づいて制御するサブ制御ＣＰＵが互いに異なる制御基板上に実装されており、該主制御ＣＰＵに関する確認信号を主制御用出力端子から外部に取り出すようになっていると共に、該サブ制御ＣＰＵに関する確認信号をサブ制御用出力端子から外部に取り出すようになっている遊技機において、
前記主制御ＣＰＵに該主制御ＣＰＵに関する確認信号を出力する主制御用確認信号出力ピンを設け、該主制御用確認信号出力ピンから出力された該主制御ＣＰＵに関する確認信号を外部に取り出す前記主制御用出力端子を取り付けることが出来る主制御用出力端子取付領域を該主制御ＣＰＵが実装されている制御基板および前記サブ制御ＣＰＵが実装されている制御基板の何れか一つに形成すると共に、該サブ制御ＣＰＵに該サブ制御ＣＰＵに関する確認信号を出力するサブ制御用確認信号出力ピンを設け、該サブ制御用確認信号出力ピンから出力された該サブ制御ＣＰＵに関する確認信号を外部に取り出す前記サブ制御用出力端子を取り付けることが出来るサブ制御用出力端子取付領域を該主制御用出力端子取付領域が形成された制御基板と同一の制御基板に形成し、更に、該主制御用確認信号出力端子と該主制御用確認信号出力ピンを主制御用確認信号配線によって他の制御ＣＰＵを介さないで直接に接続すると共に、該サブ制御用確認信号出力端子と該サブ制御用確認信号出力ピンをサブ制御用確認信号配線によって他の制御ＣＰＵを介さないで直接に接続することを特徴とする遊技機。
【請求項２】  前記主制御用出力端子取付領域および前記サブ制御用出力端子取付領域が形成されている前記制御基板は、遊技機の裏側において該主制御用出力端子取付領域および該サブ制御用出力端子取付領域が形成されていない他の制御基板よりも手前側に位置せしめられている請求項１に記載の遊技機。
【手続補正書】
【提出日】平成16年10月1日(2004.10.1)
【手続補正１】
【補正対象書類名】明細書
【補正対象項目名】発明の名称
【補正方法】変更
【補正の内容】
【発明の名称】撮像装置及び撮像装置の組立方法
【手続補正２】
【補正対象書類名】明細書
【補正対象項目名】特許請求の範囲
【補正方法】変更
【補正の内容】
【特許請求の範囲】
【請求項１】
対物レンズが対物レンズ枠内に配設された対物レンズユニットと、
前記対物レンズ枠を内嵌し、対物レンズユニットの結像位置に固体撮像装置が配置される固体撮像装置枠とより構成される撮像装置において、
前記対物レンズの光軸を、前記対物レンズ枠と固体撮像装置枠との嵌合部中心軸と異なる位置に配置したことを特徴とする撮像装置。
【請求項２】
前記光軸が、前記対物レンズ枠外形の中心軸と異なる位置に配置されていることを特徴とする請求項１に記載の撮像装置。
【請求項３】
前記撮像装置は電子内視鏡に配置されることを特徴とする請求項１又は２に記載の撮像装置。
【請求項４】
対物レンズが対物レンズ枠内に配設された対物レンズユニットと、
前記対物レンズ枠を内嵌し、対物レンズユニットの結像位置に固体撮像装置が配置される固体撮像装置枠とより構成される撮像装置において、
前記対物レンズ枠と固体撮像装置枠との嵌合間隙内で対物レンズの光軸と、固体撮像装置の受光部中心とを移動調整することを特徴とする撮像装置の組立方法。
【手続補正３】
【補正対象書類名】明細書
【補正対象項目名】００１１
【補正方法】変更
【補正の内容】
【００１１】
【課題を解決するための手段】
本発明の撮像装置は、対物レンズが対物レンズ枠内に配設された対物レンズユニットと、前記対物レンズ枠を内嵌し、対物レンズユニットの結像位置に固体撮像装置が配置される固体撮像装置枠とより構成される撮像装置において、前記対物レンズの光軸を、前記対物レンズ枠と固体撮像装置枠との嵌合部中心軸と異なる位置に配置したことを特徴とする。
本発明の撮像装置の組立方法は、対物レンズが対物レンズ枠内に配設された対物レンズユニットと、前記対物レンズ枠を内嵌し、対物レンズユニットの結像位置に固体撮像装置が配置される固体撮像装置枠とより構成される撮像装置において、前記対物レンズ枠と固体撮像装置枠との嵌合間隙内で対物レンズの光軸と、固体撮像装置の受光部中心とを移動調整することを特徴とする。
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】
遊技球を発射する発射手段と、
前記発射手段を制御する発射制御手段と、
発射された遊技球が案内される遊技領域と、
前記遊技領域において、遊技球が入球可能な入球手段と、
前記入球手段への遊技球の入球に基づいて、複数の識別情報を変動表示する表示手段と、
前記識別情報が特定の態様で停止表示される場合には、遊技者に有利な特定遊技状態を導出可能な遊技状態導出手段と、
遊技球の発射間隔を変化させることのできる可変手段とを備え、
前記表示手段において変動表示が行われるに際し、遊技球の発射間隔を変化させることを特徴とする遊技機。
【請求項２】
前記可変手段は、
前記発射手段が遊技球を発射する発射間隔に関する発射間隔情報を複数種記憶する発射間隔記憶手段と、
前記複数の発射間隔情報の中から選出する所定の発射間隔情報を決定するための選出情報決定処理を行う発射間隔決定手段とを備え、
前記発射制御手段が、前記選出情報決定処理の処理結果に基づいて選出される発射間隔情報を参酌して前記発射手段を制御することにより、遊技球の発射間隔が可変となるように構成したことを特徴とする請求項１に記載の遊技機。
【請求項３】
遊技球を発射する発射手段と、
前記発射手段を制御する発射制御手段と、
発射された遊技球が案内される遊技領域と、
前記遊技領域において、遊技球が入球可能な入球手段と、
前記入球手段への遊技球の入球を検出可能な入球検出手段と、
前記入球検出手段の検出結果に基づいて、複数の識別情報を変動表示する表示手段と、
前記表示手段を制御する表示制御手段と、
前記識別情報が特定の態様で停止表示される場合には、遊技者に有利な特定遊技状態を導出可能な遊技状態導出手段とを備えた遊技機であって、
前記発射手段が遊技球を発射する発射間隔に関する発射間隔情報を複数種記憶する発射間隔記憶手段と、
前記複数の発射間隔情報の中から選出する所定の発射間隔情報を決定するための選出情報決定処理を行う発射間隔決定手段とを備え、
前記発射制御手段が、前記選出情報決定処理の処理結果に基づいて選出される発射間隔情報を参酌して前記発射手段を制御することにより、遊技球の発射間隔が可変となるよう構成し、
前記入球手段への一入球に対応する一変動表示毎に、前記表示制御手段に対し、前記識別情報の変動表示を開始させる指示を出す変動表示指示手段と、
前記一変動表示が行われる際に、前記発射制御手段に対し、遊技球の発射間隔を所定の発射間隔へ変更させる変更開始指示及びその変更を終了させる変更終了指示を出す発射間隔変更指示手段とを備えたことを特徴とする遊技機。
【請求項４】
前記表示手段にて、前記識別情報が前記特定の態様で停止表示される過程において、停止表示される識別情報の停止態様に基づいたリーチ態様が成立するよう構成し、
前記発射間隔変更指示手段は、前記リーチ態様の成立時に、又は、前記リーチ態様が成立した後で所定時間経過後に、前記変更開始指示を出すことができるように構成されていることを特徴とする請求項３に記載の遊技機。
【請求項５】
前記遊技状態導出手段は、
前記入球検出手段の検出結果に基づいて、特定遊技状態を導出するか否かを決定する遊技状態決定処理を行い、当該処理結果に基づき前記特定遊技状態を導出できるように構成され、
前記発射間隔決定手段は、
前記複数の発射間隔情報に対応する複数の間隔情報を要素とする間隔情報群を前記各種遊技状態に対応して複数種有し、
前記遊技状態決定処理の処理結果に基づいて前記特定遊技状態が導出される場合には、前記特定遊技状態に対応する間隔情報群を参酌して前記選出情報決定処理を行い、
前記特定遊技状態が導出されない場合には、所定の遊技状態に対応する所定の間隔情報群を参酌して前記選出情報決定処理を行うように構成され、
前記各種間隔情報群は、少なくとも特定の発射間隔情報の選出される割合が異なるように構成されていることを特徴とする請求項２乃至４のいずれかに記載の遊技機。
【請求項６】
前記発射間隔決定手段が、前記特定遊技状態に対応する間隔情報群を参酌する場合には、他の間隔情報群を参酌する場合に比べて、前記特定の発射間隔情報が選出される割合が多くなるように構成されていることを特徴とする請求項５に記載の遊技機。
【請求項７】
遊技球の発射数を調整するための調整処理を行う調整手段を備えたことを特徴とする請求項１乃至６のいずれかに記載の遊技機。
【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
少なくとも全小麦粉量のうち一部の小麦粉と４０〜６５℃の温水とを５５〜７０℃の捏上温度になるまで８〜１５分間加温しながら混捏して湯捏種を作成する湯捏種作成工程と、該湯捏種を用いてパン類生地を作成するパン類生地作成工程とを備えたことを特徴とするパン類生地の製造方法。
【請求項２】
上記温水として、４５〜６０℃の温水を用いることを特徴とする請求項１記載のパン類生地の製造方法。
【請求項３】
上記捏上温度を、６０〜６５℃にしたことを特徴とする請求項１または２記載のパン類生地の製造方法。
【請求項４】
上記湯捏種作成工程で用いる小麦粉量を、全小麦粉量の内５〜４０質量％にしたことを特徴とする請求項１，２または３記載のパン類生地の製造方法。
【請求項５】
上記小麦粉量を、全小麦粉量の内１０〜３０質量％にしたことを特徴とする請求項１，２または３記載のパン類生地の製造方法。
【請求項６】
上記小麦粉量を、全小麦粉量の内１０〜２０質量％にしたことを特徴とする請求項１，２または３記載のパン類生地の製造方法。
【請求項７】
上記温水の量を、湯捏種の小麦粉に対して５０〜２００質量％にしたことを特徴とする請求項１，２，３，４，５または６記載のパン類生地の製造方法。
【請求項８】
上記温水の量を、湯捏種の小麦粉に対して８０〜１５０質量％にしたことを特徴とする請求項１，２，３，４，５または６記載のパン類生地の製造方法。
【請求項９】
上記湯捏種作成工程で、混捏時間を、８〜１２分にしたことを特徴とする請求項１，２，３，４，５，６，７または８記載のパン類生地の製造方法。
【請求項１０】
上記湯捏種作成工程で、油脂を添加して混捏することを特徴とする請求項１，２，３，４，５，６，７，８または９記載のパン類生地の製造方法。
【請求項１１】
上記湯捏種作成工程で、湯捏種の小麦粉に対して５〜３０質量％の油脂を添加して混捏することを特徴とする請求項１，２，３，４，５，６，７，８または９記載のパン類生地の製造方法。
【請求項１２】
上記湯捏種の混捏は、攪拌装置を備えた缶体を温め、缶体内部を間接的に加温しながら攪拌するニーダーを使用して行うことを特徴とする請求項１，２，３，４，５，６，７，８，９，１０または１１記載のパン類生地の製造方法。
【請求項１３】
上記湯捏種作成工程後に、湯捏種を低温でねかせて熟成させる熟成工程を設けたことを特徴とする請求項１，２，３，４，５，６，７，８，９，１０，１１または１２記載のパン類生地の製造方法。
【請求項１４】
上記熟成工程で、湯捏種を、５〜２０℃で１２〜２４時間ねかせて熟成させることを特徴とする請求項１３記載のパン類生地の製造方法。
【請求項１５】
前記請求項１乃至請求項１４のいずれか一つの請求項に記載のパン類生地の製造方法により製造されたパン類生地からパン類を製造することを特徴とするパン類の製造方法。
【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】  遊技者の操作に基づき遊技球を発射する球発射装置と、その発射された遊技球が落下する遊技領域と、その遊技領域に設けられ表示画面において図柄を可変表示する図柄表示装置とを備え、その図柄表示装置の有効ライン上に停止表示される図柄の組合せとして当り図柄が表示された場合に当り遊技状態を発生させるとともに、前記図柄表示装置の表示画面には有効ライン上の図柄と隣接する図柄の全部又は一部を目視可能に表示する遊技機において、
前記遊技領域に設けられた作動口への遊技球の入賞を検出する検出手段と、
その検出手段により前記作動口への遊技球の入賞が検出されると、前記当り遊技状態を発生させるか否かの内部抽選を行う内部抽選手段と、
その内部抽選手段により当選となった場合に、前記図柄表示装置の有効ライン上に当り図柄を表示させる表示制御手段と
を備え、
その表示制御手段は、
前記有効ライン上に当り図柄が成立せず、前記有効ラインと並行する仮想ライン上にて当該仮想ラインが有効ラインであったならば当り図柄となる図柄の組合せであって、かつ前記有効ライン上の図柄と隣接する図柄の組合せを一旦停止させる第１表示制御手段と、
その第１表示制御手段によって仮想ライン上に当り図柄を一旦停止表示させた後、同一遊技回において再度可変表示を実行し、前記仮想ライン上に一旦停止表示されていた当り図柄を有効ライン上に停止表示する第２表示制御手段と
を備え、
これら第１表示制御手段及び第２表示制御手段による表示制御は、前記表示制御手段により前記有効ライン上に当り図柄を表示させる場合の所定確率で実行されることを特徴とする遊技機。
【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
貯留容器内の液体を所定量ずつ吐出するとともに、液体吐出の休止中に貯留容器に負圧を作用させる液体吐出装置であって、
進退移動可能な弁体を有する可変絞り弁と、前記弁体を進退変位させる弁体移動手段と、前記可変絞り弁から供給される加圧流体の流量に応じた負圧を発生する負圧発生手段と、前記弁体移動手段の動作を制御する制御手段とを備えてなる液体吐出装置。
【請求項２】
前記弁体移動手段は、前記制御手段からの信号に基づいて作動されるモータであることを特徴とする請求項１に記載の液体吐出装置。
【請求項３】
前記モータは、その出力軸を前記可変絞り弁の弁体に連結してなることを特徴とする請求項２に記載の液体吐出装置。
【手続補正２】
【補正対象書類名】明細書
【補正対象項目名】０００７
【補正方法】変更
【補正の内容】
【０００７】
この発明の液体吐出装置は、貯留容器内の液体を、予め定めた所定量ずつ吐出するとともに、液体吐出の停止時を含むそれの休止中に貯留容器に負圧を作用させるものであり、進退移動可能な弁体を有する可変絞り弁と、前記弁体を進退変位させる弁体移動手段と、前記可変絞り弁から供給される加圧流体の流量に応じた負圧を発生する負圧発生手段と、前記弁体移動手段の動作を制御する制御手段とを備えていることを特徴とする。
本発明において、前記弁体移動手段は、制御手段からの信号に基づいて作動されるモータであることが好ましく、また、そのモータの出力軸は、前記可変絞り弁の弁体に連結されていることが好ましい。
なおここで、負圧発生手段の下流側に、レギュレータ、電磁弁等の弁手段を配設し得ることはもちろんである。
【手続補正書】
【提出日】平成17年6月20日(2005.6.20)
【手続補正１】
【補正対象書類名】明細書
【補正対象項目名】００２４
【補正方法】変更
【補正の内容】
【００２４】
その後さらに蝶棒１１をガイド溝１７の奥へ進入させると、スライダーと当接しファスナーテープ５の端部に取り付けた開離嵌挿具８の箱体９へ進出し、図７に示すように蝶棒１１は箱体９の蝶棒挿入部１２へ挿入し固定される。この状態でスライダーを肩口４３方向へ摺動させることによって、ファスナーチエン４を閉鎖させることができる。
【手続補正２】
【補正対象書類名】明細書
【補正対象項目名】００２７
【補正方法】変更
【補正の内容】
【００２７】
図８〜１０に示す第２実施例の隠しタイプのスライダーは、胴体１の底板１３の両側に立設した側壁１４と、この側壁１４の上端を内側へ屈曲して設けたフランジ１５とに形成する斜面のガイド部２２の形態が前例とは多少異なる以外は略同一形態である。図８，９に示すようにガイド部２２が始まる起点を引手２を胴体１へクランパー３４によって連結したクランパー３４の取付軸３５を基準としてガイド部２２を設置したものである。
【手続補正３】
【補正対象書類名】明細書
【補正対象項目名】００３１
【補正方法】変更
【補正の内容】
【００３１】
詳述すると、覆板３２における表面の前後に三角状の取付柱３８を斜面が対向するように配設し、この取付柱３８は中央長手方向に間隙部分があり、この間隙部分に、一端に停止爪２５があるヘの字状の爪杆３９を介在させ、爪杆３９の上側へ板スプリング４０を載置して爪杆３９の中央を下方へ付勢させて自動停止機能を具有させ、三角状の取付柱３８間に引手２を連結したクランパー３４の取付軸３５を嵌挿し、引手２を引っ張ると三角状の取付柱３８がカムの働きをし、板スプリング４０に抗して爪杆３９を押し上げ、停止爪２５をファスナーエレメント６間から脱出させ摺動させる。なお板スプリング４０の上方に船底形のカバーを被覆して側面を取付柱３８にかしめ付ける。
【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】
矩形状の外枠と、
前記外枠に対し開閉可能に設けられた前面枠と、
前記前面枠に対し取り付けられた遊技盤と、
遊技に係る各種制御対象の制御を行う複数の制御手段とを備えた遊技機において、
前記遊技盤は交換可能に構成されており、
入力した電圧の昇降圧の変換を行うとともに、前記制御手段のうちで前記遊技盤に設けられた制御手段への電力供給を行う第１電源基板と、
入力した電圧の昇降圧の変換を行うとともに、前記制御手段のうちで前記前面枠に設けられた制御手段への電力供給を行う第２電源基板とを備え、
前記第１電源基板を、前記遊技盤に取り付け、前記第２電源基板を、前記前面枠に取り付けたことを特徴とする遊技機。
【請求項２】
電源投入を行うための電源スイッチを具備するとともに、前記第１電源基板及び第２電源基板へ入力される電圧を分配するスイッチ基板を備え、当該スイッチ基板を前記前面枠に取り付けたことを特徴とする請求項２に記載の遊技機。
【請求項３】
前記第２電源基板は、バックアップ電源を備えており、前記第２電源基板への電圧の入力が途絶えた場合に、少なくともデータのバックアップが必要となる制御手段への電力供給を行うことを特徴とする請求項１又は２に記載の遊技機。
【手続補正書】
【提出日】平成17年9月5日(2005.9.5)
【手続補正１】
【補正対象書類名】明細書
【補正対象項目名】０００７
【補正方法】変更
【補正の内容】
【０ ０ ０ ７ 】
【発明が解決しようとする課題】本発明は、上記のような実状に鑑み、従来の不具合を解消すべく、オストメイト（ 人工肛門の保有者） の立場から創案されたものであって、その意図するところは、装具本体を使用者の腹部に装着したままの状態で、排泄物収納袋の着脱がワンタッチで容易にできると共に、使用中排泄物の漏れがなく、腹部の肌荒れなど皮膚の障害も予防できて、排泄の管理が容易にできるものでありながら、装着の快適性が得られて日常の活動が制限されず、健康な普通人と同様に夢と希望を持って仕事に従事することができる人工肛門装具を提供することを課題とするものである。